(57)【特許請求の範囲】
【請求項１】
指掛け用のトリガを有する本体部に、リールの脚部を載置するリール脚載置面を形成し、リールの脚部を保持する一対のフードを前記リール脚載置面の長手方向に沿って対向配置して成るハンドルを、竿管の手元側に設けた釣竿において、
前記本体部は、その内側に竿管が挿通される中空状に形成されるとともに、スペーサを介して竿管に固定され、
前記本体部は金属またはセラミックスを含む硬質部材で形成され、前記スペーサは、前記本体部よりも柔らかい軟質部材によって形成され、前記本体部から延びる延出部に形成した雄ネジに、一方のフードを螺合し、この一方のフードを他方のフードに対して離間および接近するように移動可能としたことを特徴とする釣竿。
【請求項２】
前記本体部の前後の２個所にそれぞれスペーサが配設されていることを特徴とする請求項１に記載の釣竿。
【請求項３】
前記本体部のリール脚載置面、側部、下側部分のうちの少なくとも１個所に、硬質部材よりも軟質で且つ比重の軽い部材が配設され、あるいは、開口部が形成されていることを特徴とする請求項１または請求項２に記載の釣竿。
【発明の詳細な説明】
【０００１】
【発明の属する技術分野】
本発明は、手元側にリール脚固定装置を備えた釣竿に係わり、特に、ルアーロッド等のキャスティングハンドルの改良に関する。
【０００２】
【従来の技術】
釣竿の中には、リールの脚部が着脱自在に取り付けられるリール脚固定装置をその手元側に備えたものがある。例えば、ルアーロッドは、指掛け部としてのトリガとリール脚固定装置とを有するハンドル部を竿管の手元側に備えて成る。具体的には、ハンドル部は、リールの脚部が取り付けられる取付け部とトリガとを有する本体部と、本体部の前後に位置するコルクや発泡材から成るグリップとを備えている。本体部とグリップは竿管に対して例えば接着固定されている。
【０００３】
【発明が解決しようとする課題】
ところで、ルアーロッドは、一般にその竿管の径が細く、また、ハンドル部も柔らかい材料によって形成されているため、例えば大きな魚がかかって大きな負荷が作用すると、ハンドル部分から大きく撓る。そのため、釣人に不安感を与えることがある。このような場合、リールが載置されるハンドル部の本体部に例えば金属を用いれば、釣人に強い（硬い）イメージを与え（実際に強度が増す）、不安感を解消することができるかもしれない。しかし、金属を直接に竿管に取り付けると、この取付け部で竿が撓らず、すなわち、取付け部の手前側の竿管の部位だけが撓り、取付け部の直ぐ手前側で竿管の部位に応力が集中して、この部分で竿管が破損し易いという問題が生じる。また、金属を用いると、その分、重量が大きくなり、ロッド操作に支障を来す虞もある。
【０００４】
本発明は前記事情に着目してなされたものであり、その目的とするところは、ハンドル本体部の撓りや変形を防止しつつ竿管の破損も防止できる、高強度で安心感のある軽量な釣竿を提供することにある。
【０００５】
【課題を解決するための手段】
前記課題を解決するために、本発明は、指掛け用のトリガを有する本体部に、リールの脚部を載置するリール脚載置面を形成し、リールの脚部を保持する一対のフードを前記リール脚載置面の長手方向に沿って対向配置して成るハンドルを、竿管の手元側に設けた釣竿において、前記本体部は、その内側に竿管が挿通される中空状に形成されるとともに、スペーサを介して竿管に固定され、前記本体部は金属またはセラミックスを含む硬質部材で形成され、前記スペーサは、前記本体部よりも柔らかい軟質部材によって形成され、前記本体部から延びる延出部に形成した雄ネジに、一方のフードを螺合し、この一方のフードを他方のフードに対して離間および接近するように移動可能としたことを特徴とする。
【０００６】
【発明の実施の形態】
以下、図面を参照しながら本発明の実施形態について説明する。
【０００７】
図１および図２は本発明の第１の実施形態を示している。図示のように、本実施形態の釣竿１は、ルアーロッドであり、竿管２の手元側（竿尻側端部）にリール脚固定装置としてのキャスティングハンドル４を備えて成る。ハンドル４は、内部に竿管２が貫通して装着される筒状（中空状）のものであり、図示しない魚釣用リールの脚部が取り付けられ且つ指掛け部としてのトリガ２０を有する本体部８と、本体部８の前後に位置するグリップ６，１０とから成る。また、竿管２は例えば繊維強化樹脂（ＦＲＰ）によって形成されている。
【０００８】
本体部８は、ＳＵＳやチタン等の金属またはセラミックス等を含む硬質高強度部材によって筒状に形成されており、リング状もしくは筒状の２つのスペーサ１２，１４を介して竿管２に接着等によって取り付けられている。この場合、第１のスペーサ１２は、本体部８の前側部分と竿管２との間に介在されるとともに、第２のスペーサ１４は、本体部８の後側部分と竿管２との間に介在されており、これによって、スペーサ１２，１４間の部位では、本体部８の内面と竿管２の外面との間に空間（中空部）Ｓ１が形成されている。ここで、スペーサ１２，１４は、合成樹脂、硬質ゴム、コルク、発泡材、ＦＲＰ、木材等、本体部８よりも柔らかい軟質部材によって形成されている。また、第１のスペーサ１２は、本体部８の前側で長く延びる延出部１２ａを有しており、この延出部１２ａの外周面には雄ネジ２５が形成されている。
【０００９】
また、本体部８の後端部には、図示しない魚釣用リールの脚部の一方側を受けてこれを係止させる第１の係止部としての固定フード１５が形成されている。この固定フード１５は、リールの脚部が挿入される空間と、この空間内に前記脚部を導入するための開口１７とを有している。また、本体部８には、リールの脚部を載置するための平坦なリール脚載置面１９が形成されている。なお、リール脚載置面１９と反対側の本体部８の部位には、膨出部２１と、膨出部２１の両側（前後）に位置する２つの指掛け用凹部２２，２２とが設けられている。
【００１０】
また、後側グリップ１０は、コルク（天然、人工）、合成樹脂、ＦＲＰ、発泡性樹脂等によって筒状に形成されており、本体部８の後端部に嵌着固定されるとともに、竿管２に嵌合固定されている。この場合、固定は、本体部８と後側グリップ１０の前端部との間に空間（中空部）Ｓ２が形成されるように例えば接着によって行なわれる。
【００１１】
また、前側グリップ６は、回転しながらハンドル４の長手方向に沿って移動可能な移動フードとして形成されており、グリップ本体３５と、ナット部材２９と、ナット部材２９の前端部に嵌着された補強リング３７とから成る。この場合、グリップ本体３５は、コルク（天然、人工）、合成樹脂、ＦＲＰ、発泡性樹脂等によって筒状に形成されており、また、補強リング３７は金属もしくはセラミックスによって形成されている。
【００１２】
ナット部材２９は、グリップ本体３５に固定的に設けられるとともに、第１のスペーサ１２に螺着されてグリップ本体３５をハンドル４の長手方向に沿って移動させる。この場合、ナット部材２９の内周面には、第１のスペーサ１２の延出部１２ａの雄ネジ２５と螺合する雌ネジ３１が形成されている。
【００１３】
また、前側グリップ６の後端部には、魚釣用リールの脚部の他方側を受けてこれを係止させる第２の係止部としてのリール脚受け部１１が形成されている。このリール脚受け部１１は、主にナット部材２９の後端部により、前側グリップ６の全周にわたって形成されている。また、このリール脚受け部１１は、リールの脚部が挿入される空間と、この空間内に前記脚部を導入するための開口３９とを有している。この場合、開口３９は固定フード１５の開口１７と対向して配置されている。
【００１４】
次に、上記構成のキャスティングハンドル４を用いてリールを釣竿１に装着する方法について説明する。
【００１５】
まず、ナット部材２９を第１のスペーサ１２に対して一方向に回転させて緩め、前側グリップ（移動フード）６を固定フード１５から離間させるようにハンドル４の前側（竿の穂先側）に移動させる。
【００１６】
次に、図示しないリールの脚部をリール脚載置面１９に載置するとともに、リールの脚部の一方側を固定フード１５内に挿入して係止させる。続いて、ナット部材２９を第１のスペーサ１２に対して他方向に回転させて締め、前側グリップ６を固定フード１５に接近させるようにハンドル４の後側（竿尻側）に移動させる。これによって、固定フード１５と前側グリップ（移動フード）６とによってリールの脚部が保持され、リールが釣竿１に装着される。
【００１７】
以上説明したように、本実施形態の釣竿１では、キャスティングハンドル４の本体部８が金属またはセラミックスを含む硬質部材によって形成されている。そのため、ハンドル４の強度が高く、釣竿１に大きな負荷が作用した場合でも、把持したハンドル４の本体部８が撓ったり変形したりすることを防止できる。また、大きな魚がかかって大きな負荷が作用しても、ハンドル４から大きく撓ることはないため、釣人は不安感を抱くことなく安心して魚とのやりとりを行なうことができる。
【００１８】
また、本実施形態の釣竿１において、ハンドル４の本体部８は、本体部８よりも柔軟なスペーサ１２，１４を介して竿管２に固定されている。そのため、応力緩和が図れ、竿管２の破損を防止できる。
【００１９】
また、本実施形態の釣竿１では、ハンドル４の本体部８が中空状に形成されている。そのため、本体部８を金属等の硬質部材で形成するにもかかわらず、軽量化を図ることができる。
【００２０】
また、本実施形態では、ハンドル４の本体部８の前後の２個所にそれぞれスペーサ１２，１４が配設されている。そのため、強度バランスを向上させることができるとともに、効果的な軽量化を図ることができる。
【００２１】
なお、本実施形態においては、本体部８の全体、すなわち、トリガ２０、リール脚載置面１９、固定フード１５の全体が金属によって形成されているが、これらの一部だけを金属によって形成しても良い。
【００２２】
図３は本発明の第２の実施形態を示している。なお、本実施形態において、第１の実施形態と同一の構成部分については、以下、同一符号を付してその説明を省略する。
【００２３】
図示のように、本実施形態の釣竿１Ａにおいて、後側の第２のスペーサ１４Ａは、本体部８の後側部分と竿管２との間に介在するだけでなく、後側グリップ１０と竿管２との間にも介在している。すなわち、第２のスペーサ１４Ａは、本体部８の後側部分と竿管２との間に介挿配置されるリング状のフランジ部４０と、後側グリップ１０と竿管２との間に介挿配置される筒状部４１とから成り、その断面形状が略Ｔ字形を成している。これらの各部材間の固定は例えば接着によって行なわれる。なお、それ以外の構成は第１の実施形態と同一である。
【００２４】
このように、本実施形態によれば、本体部８と後側グリップ１０の両者が、第２のスペーサ１４Ａを介して竿管２に固定されているため、本体部８および後側グリップ１０を竿管２に確実且つ強固に固定することができる。
【００２５】
なお、本実施形態においては、図４に示されるように、竿管２に接続するスペーサ部４３を本体部８に一体で形成しても良い。このスペーサ部４３は、第１および第２のスペーサ１２，１４間に形成された空間（中空部）Ｓ１で、本体部８から竿管２側に向けて突出しており、本体部２と同種の材料によって形成されていても良い。
【００２６】
また、本実施形態においては、図５に示されるように、第２のスペーサ１４Ａのフランジ部４０の一部が本体部８に接続されていなくても良い。すなわち、フランジ部４０の一部と本体部８との間に空隙４５が設けられ、この部位では、後側グリップ１０と第２のスペーサ１４Ａとを介して本体部８が竿管２に固定されるようになっていても良い。
【００２７】
図６は本発明の第３の実施形態を示している。なお、本実施形態において、第１の実施形態と同一の構成部分については、以下、同一符号を付してその説明を省略する。
【００２８】
図示のように、本実施形態の釣竿１Ｂでは、第２のスペーサ１４が設けられていない。すなわち、本体部８の後側では、後側グリップ１０が第２のスペーサ１４の機能を果たしている（後側グリップ１０が第２のスペーサ１４を兼ねている）。
【００２９】
このように、コルク（天然、人工）、合成樹脂、ＦＲＰ、発泡性樹脂等によって形成される後側グリップ１０に第２のスペーサ１４と同様の機能を持たせても、第１の実施形態と同様の作用効果を得ることができる。
【００３０】
図７〜図１０は本発明の第４の実施形態を示している。なお、本実施形態において、第１の実施形態と同一の構成部分については、以下、同一符号を付してその説明を省略する。
【００３１】
図１０に明確に示されるように、本実施形態の釣竿１Ｃの本体部８の左右両側には、例えば膨出形成された側部５０，５０が設けられている。また、本体部８の下側部分を構成する膨出部２１は、本体部８とは別体の柔軟性部材５１によって形成されている。なお、柔軟性部材５１は、例えば、ゴム（人工、天然）、コルク（人工、天然）、発泡材等によって形成されている。
【００３２】
また、本実施形態では、第１の実施形態のように本体部８の全体がＳＵＳやチタン等の金属またはセラミックス等を含む硬質高強度部材（以下、単に硬質部材という。）によって形成されておらず、側部５０，５０のみが硬質部材によって形成されている。無論、第１の実施形態と同様に、本体部８の全体が硬質部材によって形成されていても良い。
【００３３】
また、以下に列挙された部分だけを硬質部材によって形成しても良い。
【００３４】
（イ）  側部５０，５０
（ロ）柔軟製部材５１が位置する本体部８の下側部分
（ハ）リール脚載置面１９を含む本体部８の上側部分
（ニ）イ、ロ、ハの任意の組み合せ
（ホ）イ、ロ、ハの全体
（ヘ）トリガ２０と固定フード１５と側部５０，５０
（ト）トリガ２０とイ、ロ、ニ、ハ
（チ）固定フード１５とイ、ハ、ニ、ホ
（リ）トリガ２０と固定フード１５を除いたイ、ロ、ハ、ニ、ホ
また、本実施形態（他の実施形態も同様）おいては、本体部８のリール脚載置面１９、側部５０，５０、下側部分のうちの少なくとも１個所に、硬質部材よりも軟質で且つ比重の軽い部材を配設するか、開口部を形成しても良い。このようにすることで、より一層の軽量化を図ることができる。
【００３５】
なお、本発明は、前述した各実施形態に限定されず、その要旨を逸脱しない範囲で種々変形実施できることは言うまでもない。例えば、前述した各実施形態では、前側グリップ６のみを移動フードとして形成したが、これに限らず、後側グリップ１０を移動フードとして形成しても良く、あるいは、一対のグリップ６，１０の双方を移動フードとして形成しても良いことは言うまでもない。また、各実施形態をそれぞれ組合せることも可能である。
【００３６】
【発明の効果】
以上説明したように、本発明によれば、金属またはセラミックスを含む硬質部材で形成され本体部と竿管との間に、本体部材よりも柔らかい軟質部材で形成されたスペーサを配置し、本体部から延びる延出部に形成した雄ネジに、一方のフードを螺合し、この一方のフードを他方のフードに対して離間および接近するように移動可能としたことにより、ハンドル本体部の撓りや変形を防止しつつ、応力緩和が図れ、竿管の破損も防止できる、高強度で安心感のある軽量な釣竿を提供できる。
【図面の簡単な説明】
【図１】本発明の第１の実施形態に係る釣竿の要部の側面図である。
【図２】図１の釣竿の側断面図である。
【図３】本発明の第２の実施形態に係る釣竿の要部の側断面図である。
【図４】第２の実施形態の第１の変形例に係る釣竿の要部の側断面図である。
【図５】第２の実施形態の第２の変形例に係る釣竿の要部の側断面図である。
【図６】本発明の第３の実施形態に係る釣竿の要部の側断面図である。
【図７】本発明の第４の実施形態に係る釣竿の要部の平面図である。
【図８】図７の釣竿の側面図である。
【図９】図７の釣竿の側断面図である。
【図１０】図９のＡ−Ａ線に沿う断面図である。
【符号の説明】
１…釣竿
２…竿管
４…ハンドル
６…前側グリップ（フード）
８…本体部
１０…後側グリップ
１２，１４…スペーサ
１５…固定フード
１９…リール脚載置面
２０…トリガ
【図１】
0004380911.tif 000002
【図２】
0004380911.tif 000003
【図３】
0004380911.tif 000004
【図４】
0004380911.tif 000005
【図５】
0004380911.tif 000006
【図６】
0004380911.tif 000007
【図７】
0004380911.tif 000008
【図８】
0004380911.tif 000009
【図９】
0004380911.tif 000010
【図１０】
0004380911.tif 000011